(57)【要約】      （修正有）【課題】ポンプ式製品およびエアゾール式製品に備えられたシャットオフ機構において、当該機構の製造コストの低減化ならびにデザイン仕様および製造仕様の多様化を図る。【解決手段】操作ボタンを、逆止弁（３）の案内作用部分（５）と、利用者が触れたり見たりする操作ボタン外部を含む本体部分（１）との別々の部材で形成し、さらには当該案内作用部材にシャットオフ機構の構成要素（逆止弁３，ノズル４，コイルスプリング６）を保持した形のユニット構造を用いた。また、本体部分およびブッシュ（２）のそれぞれを、これら各部材の組立時の回動位置関係のプリセット作業が不要となる形状に設定し、相対回動防止にはスプライン係合（１ｆ，２ｃ）を採用して、組立のときの回動方向の位置合わせを不要としている。【選択図】図１
2010179945.tif 000002
【特許請求の範囲】
【請求項１】
操作ボタンの作動モード設定操作にともない、先ず内容物放出口に対する逆止弁の移動により当該放出口がそれまでの閉状態から開状態に設定され、続いて当該開状態のまま、容器本体と連通可能な内容物通過用部材が当該操作ボタンと連動して、作動モードに移行するシャットオフ機構の構成要素で、少なくとも内部空間，内周面，外面および周面開口部を備えたシャットオフ作動用ユニットにおいて、
前記内部空間に、前記逆止弁、前記内容物放出口を画定するノズル部材、および当該放出口が閉状態となるように当該逆止弁を付勢する弾性部材、のそれぞれが保持され、
前記内周面は、前記逆止弁の移動に対する案内部分として作用し、
前記外面は、前記操作ボタンへの取付け部分として作用し、
前記周面開口部は、前記内容物通過用部材の逆止弁移動用作動部および内容物流出用出力部のそれぞれに対応した開口部である、
ことを特徴とするシャットオフ作動用ユニット。
【請求項２】
請求項１記載のシャットオフ作動用ユニットが操作ボタン取り付けられたシャットオフ機構において、
前記操作ボタンは、
前記逆止弁の移動空間域が形成された鞘状の上側収容部と、
前記内容物通過用部材の移動空間域，前記上側収容部へと続く中央開口部および、前記内容物通過用部材に対する当接面が形成された筒状の下側収容部と、を備え、
前記内容物通過用部材は、前記逆止弁移動用作動部に加え、
前記内容物流出用出力部を上端側に有して、前記容器本体からの流入内容物が通過する中央通路部と、
前記下側収容部の当接面に対する被当接部と、を備え、
少なくとも前記当接面，前記逆止弁移動用作動部および前記被当接部はそれぞれ、
前記内容物通過用部材がその移動方向中心軸に対する任意の回動状態で前記操作ボタンおよび前記逆止弁に対して正しく取り付けられる形の、当該中心軸についての対称的形状に設定されている、
ことを特徴とするシャットオフ機構。
【請求項３】
前記操作ボタンおよび前記内容物通過用部材は、
一方の周面部分に、それぞれ前記対称形状の複数の回動阻止部が設定され、
他方の周面部分に、当該回動阻止部に対する係合部が、前記任意の回動状態における当該内容物通過用部材と当該操作ボタンとの取り付けを行える形状で、設定されている、
ことを特徴とする請求項２記載のシャットオフ機構。
【請求項４】
請求項１記載のシャットオフ作動用ユニットまたは請求項２もしくは請求項３記載のシャットオフ機構を備え、かつ、内容物を収容した、
ことを特徴とするポンプ式製品。
【請求項５】
請求項１記載のシャットオフ作動用ユニットまたは請求項２もしくは請求項３記載のシャットオフ機構を備え、かつ、噴射用ガスおよび内容物を収容した、
ことを特徴とするエアゾール式製品。
【発明の詳細な説明】
【技術分野】
【０００１】
本発明は、容器本体内容物の放出操作終了時に外部空間への放出口を閉塞して、その近くの通路域に残留する内容物が当該放出口から外部空間の方に漏出しないようにしたシャットオフ機構、すなわちポンプ式容器におけるたれ（固化）やエアゾール式容器におけるアウタードローなどを防止するためのシャットオフ作動用ユニットや、このシャットオフ作動用ユニットを操作ボタンに取り付けた形のシャットオフ機構などに関する。
【０００２】
本明細書においては、前後上下の位置関係を、ノズルの内容物放出口側を「前」、それとは反対の逆止弁付勢用の例えばコイルスプリング側を「後」とそれぞれ記し、また、操作ボタン側を「上」、それとは反対の容器本体側を「下」とそれぞれ記す。
【０００３】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００４】
内容物のたれ防止やアウタードロー対策を図るシャットオフ機構は例えば下記の特許文献１で開示されている。
【０００５】
特許文献１では、内容物の放出口ａおよびその逆止弁（弁部材Ｃ）を備えた操作ボタン（本体Ｂ）と、ピストン（ステム７）に取り付けられるブッシュ（装着筒部材Ａ）と、からなるシャットオフ機構が開示されている。
【０００６】
ここでは、放出操作の際の押下げ操作力により先ず操作ボタンがブッシュに対して下動し、この操作ボタンの下動にともなうブッシュと操作ボタンとの間のカム作用に基づいて、逆止弁が後退して開状態に移行する。
【０００７】
すなわち、ブッシュと操作ボタンとの間の第一のカム作用に基づいて後方へ揺動する揺動板１６に設けられた斜面形態の弁体摺動面ｓ１（弁部材駆動部）と逆止弁（弁部材Ｃ）との間の第二のカム作用に基づいて駆動される当該逆止弁は、そのシール作用部（被案内部）が操作ボタン内部のシール筒２４の内周面に案内されながら後退することにより、内容物の放出口ａを開状態に設定している。
【０００８】
また、シャットオフ機構の構成要素である逆止弁，逆止弁付勢用コイルスプリングおよび放出口部材（ノズル）などの各部材はそれぞれ、操作ボタンに組み込まれるまで、個々にいわばばらけた状態での管理となる。
【０００９】
また、操作ボタン下動時に逆止弁を後退させるブッシュ（装着筒部材Ａ）側のカム作用部である、揺動板１６は、当該装着筒部材の平面中央部分ではなく、当該平面の縁部側に偏った部分に形成されている。
【先行技術文献】
【特許文献】
【００１０】
【特許文献１】特開２００７−２２９５９６号公報
【発明の概要】
【発明が解決しようとする課題】
【００１１】
このように、上記先行技術のシャットオフ機構は、内容物放出口に対する逆止弁自体のシール作用部が操作ボタン内周面に案内されながら移動する構造を前提としている。
【００１２】
また、逆止弁は、その移動方向とは異なる上方向の力を弁部材駆動部から受けるために、操作ボタン内周面に付勢されて、摩耗やかじりつきが発生しやすい。
【００１３】
そのため、操作ボタンの材質や作成手順などを決める場合にも、先ず操作ボタン内周面と逆止弁との間のシール性能，耐摩耗生や耐かじりつき性能などの案内性能の確保といった機能上の必要性を考慮しなければならず、これとは別の必要性にも同時に応えること、例えば操作ボタンの装飾性に関するデザイン上の要求に応えることが難しいという問題点を有していた。
【００１４】
また、上述のようにシャットオフ機構の組立前には、当該機構の各構成要素は一体化されずに個々の部材となっているので、当該部材それぞれの保管や組立作業が煩雑化するという問題点を有していた。
【００１５】
また、上述のように操作ボタン下動時に逆止弁を後退させるための（装着筒部材側の）カム作用部が装着筒部材（ブッシュ）平面の縁部側に偏った後方部分に形成されているので、操作ボタンにブッシュを取り付けるときに、当該ブッシュのカム作用部が操作ボタンの放出口とは反対側の後方にくるように設定する必要があった。
【００１６】
そのため、あらかじめ操作ボタンに対するブッシュのいわば回動位置関係を特定するための行程が必要となり、シャットオフ機構の組立て作業が一段と煩雑であった。
【００１７】
そこで本発明では、先ず逆止弁に対する案内作用を呈する操作ボタン内周面の部分を当該操作ボタンからいわば切り離した形の別部材として、その中に内容物放出口画定用のノズル部材、当該放出口に対する逆止弁や逆止弁付勢用弾性部材などのシャットオフ機構構成要素をそれぞれ保持し、当該機構の組立時に、操作ボタンに取り付けられる例えば鞘状のシャットオフ作動用ユニットを用いる。
【００１８】
すなわち、操作ボタンを、逆止弁の案内作用部分と、利用者が触れたり見たりする操作ボタン外部を含む本体部分との別々の部材で形成し、さらには当該案内作用部材にシャットオフ機構の上記構成要素を保持した形のユニット構造を用いる、ことにより、
(11)案内作用部分および本体部分それぞれの材質，製法などを個々に設定できるようにして、逆止弁に対する案内作用の十全化を図るとともに、操作ボタン外面に対する操作感やデザイン性などの向上化を図り、
(12)かつ、シャットオフ機構の構成要素である逆止弁，逆止弁付勢用コイルスプリングおよび放出口部材（ノズル）などの各部材をユニットとして効率的に保管するとともに、当該構成要素を操作ボタンへ組み込む際の作業の簡単化を図り、当該機構の製造コストの低減化・製造仕様の多様化を図ることを目的とする。
【００１９】
また、操作ボタンおよびブッシュ（内容物通過用部材）のそれぞれを、これら各部材の組立時の回動位置関係のプリセット作業が不要となる形状に設定し、これによりシャットオフ機構全体の組み立て作業の簡素化を図り、当該機構の製造コストの一層の低減化を図ることを目的とする。
【００２０】
また、操作ボタンとブッシュ（内容物通過用部材）との間の回動を阻止するためこれら双方の部材それぞれに形成される各構成要素（回動阻止部とこれに対する係合部）についても、同様に、当該部材の組立時の部材相互の回動位置関係のプリセット作業を不要とするスプライン係合形状などに設定して、シャットオフ機構の組み立て作業のさらなる簡素化を図ることを目的とする。
【課題を解決するための手段】
【００２１】
本発明は、以上の課題を次のようにして解決する。
（１）操作ボタン（例えば後述の操作ボタン１）の作動モード設定操作にともない、先ず内容物放出口（例えば後述の放出口４ａ）に対する逆止弁（例えば後述の逆止弁３）の移動により当該放出口がそれまでの閉状態から開状態に設定され、続いて当該開状態のまま、容器本体と連通可能な内容物通過用部材（例えば後述のブッシュ２）が当該操作ボタンと連動して、作動モードに移行するシャットオフ機構の構成要素で、少なくとも内部空間，内周面，外面および周面開口部（例えば後述の開口部５ａ）を備えたシャットオフ作動用ユニットにおいて、
前記内部空間に、前記逆止弁、前記内容物放出口を画定するノズル部材（例えば後述のノズル４）、および当該放出口が閉状態となるように当該逆止弁を付勢する弾性部材（例えば後述のコイルスプリング６）、のそれぞれが保持され、
前記内周面は、前記逆止弁の移動に対する案内部分として作用し、
前記外面は、前記操作ボタンへの取付け部分として作用し、
前記周面開口部は、前記内容物通過用部材の逆止弁移動用作動部（例えば後述の環状斜面２ｅ，斜面２ｅ’）および内容物流出用出力部（例えば後述の上下方向孔部２ｈ）のそれぞれに対応した開口部とした。
（２）上記（１）のシャットオフ作動用ユニットが操作ボタン取り付けられたシャットオフ機構において、
前記操作ボタンは、
前記逆止弁の移動空間域が形成された鞘状の上側収容部（例えば後述の鞘状部材５）と、
前記内容物通過用部材の移動空間域，前記上側収容部へと続く中央開口部（例えば後述の中央開口部１ｄ）および、前記内容物通過用部材に対する当接面（例えば後述の環状垂下部１ｅの内周面）が形成された筒状の下側収容部（例えば後述の下側収容部１ｃ）と、を備え、
前記内容物通過用部材は、前記逆止弁移動用作動部に加え、
前記内容物流出用出力部を上端側に有して、前記容器本体からの流入内容物が通過する中央通路部（例えば後述の中央通路部２ｄ）と、
前記下側収容部の当接面に対する被当接部（例えば後述の逆スカート状部２ｆ）と、を備え、
少なくとも前記当接面，前記逆止弁移動用作動部および前記被当接部はそれぞれ、
前記内容物通過用部材がその移動方向中心軸（例えば後述の上下方向中心軸Ａ）に対する任意の回動状態で前記操作ボタンおよび前記逆止弁に対して正しく取り付けられる形の、当該中心軸についての対称的形状に設定されている。
（３）上記（２）において、前記操作ボタンおよび前記内容物通過用部材は、
一方の周面部分に、それぞれ前記対称形状の複数の回動阻止部（例えば後述の内向噛合部１ｆまたは外向噛合部２ｃ）が設定され、
他方の周面部分に、当該回動阻止部に対する係合部（例えば後述の外向噛合部２ｃまたは内向噛合部１ｆ）が、前記任意の回動状態における当該内容物通過用部材と当該操作ボタンとの取り付けを行える形状で、設定されている。
【００２２】
本発明は、このような構成のシャットオフ作動用ユニットまたはシャットオフ機構を備えたポンプ式製品およびエアゾール式製品も対象としている。
【発明の効果】
【００２３】
本発明はこのように、操作ボタンを、逆止弁の案内作用部分と、利用者が触れたり見たりする本体部分との別々の部材で形成し、かつ、当該案内作用部材にシャットオフ機構の上記構成要素を保持した形のユニット構造を用いているので、逆止弁に対する案内作用の十全化を図るとともに、操作ボタン外面に対する操作感やデザイン性などの向上化を図りかつ、シャットオフ機構の各構成要素をユニットとして効率的に保管するとともに、当該構成要素を操作ボタンへ組み込む際の作業の簡単化を図り、当該機構の製造コストの低減化・製造仕様の多様化を図ることができる。
【００２４】
また、操作ボタンおよびブッシュ（内容物通過用部材）のそれぞれを、これら各部材の組立時の回動位置関係のプリセット作業が不要となる形状に設定しているので、シャットオフ機構全体の組み立て作業の簡素化を図り、当該機構の製造コストの一層の低減化を図ることができる。
【００２５】
また、操作ボタンとブッシュ（内容物通過用部材）との間の回動を阻止するためこれら双方の部材それぞれに形成される各構成要素（回動阻止部とこれに対する係合部）についても、同様に、当該部材の組立時の部材相互の回動位置関係のプリセット作業を不要とするスプライン係合形状などに設定しているので、シャットオフ機構の組み立て作業のさらなる簡素化を図ることができる。
【図面の簡単な説明】
【００２６】
【図１】シャットオフ機構（その１：操作ボタン１に取り付けられる際のブッシュ２の前後が任意で特定されないタイプ）の静止モードの断面状態を示す説明図である。
【図２】図１のシャットオフ機構の作動モードへの移行開始段階の断面状態を示す説明図である。
【図３】シャットオフ機構（その２：操作ボタン１に取り付けられる際のブッシュ２の前後が特定されるタイプ）の静止モードの断面状態を示す説明図である。
【発明を実施するための形態】
【００２７】
図１〜図３を用いて本発明を実施するための最良の形態を説明する。
【００２８】
各図で用いるアルファベット付き参照番号の構成要素（例えば操作面１ａ）は原則として、当該参照番号の数字部分の構成要素（例えば操作ボタン１）の一部であることを示している。
【００２９】
図１〜図３において、
１は操作ボタン，
１ａは利用者が操作の対象とする操作面，
１ｂは後述の鞘状部材５が嵌合する鞘状の上側収容部，
１ｃは後述のブッシュ２を収容する筒状の下側収容部，
１ｄは上側収容部１ｂに嵌合した後述の鞘状部材５の開口部５ａと下側収容部１ｃとを連通させる形で下側収容部１ｃの天井部に設けられた中央開口部，
１ｅは中央開口部１ｄを囲む形で下側収容部１ｃの天井部に設けられた環状垂下部，
１ｆは下側収容部１ｃの内周面に設けられて、後述の外向噛合部２ｃとスプライン係合する内向噛合部，
１ｆ’は下側収容部１ｃの内周面に設けられて、後述の溝状部２ｃ’と係合するリブ状部，
１ｇは下側収容部１ｃの内周面の周方向に飛び飛びに設けられて、後述の外周面２ｂの下端に当接してブッシュ２が下方へ脱落するのを防止する複数の突起部，
１ｈは後述の鞘状部材５の回動を防止するための前後方向凸状部，
１ｊは中央開口部の縁の一部に設けられて後述の上側切欠部５ｂとの協働作用により、当該各切欠部の上下の各空間域（後述の鞘状部材５の内部後方空間域および環状垂下部１ｅの内側空間域）を連通させるための下側切欠部，
１ｋは上側収容部１ｂの内周面に設けられて後述の環状凸部５ｅが係合する環状凹部，
２は操作ボタン１の押圧操作にともなう下動開始後の所定状態（後述の逆止弁３が後退しきった状態，図２参照）になってから連動（下動）し、かつ、図示横方向の任意の断面の輪郭部分が、上下方向の中心軸Ａ（の点）を通る当該断面上の任意の直線に対して略線対称となる、外面形状を持つ筒状のブッシュ，
２ａは環状の天井部，
２ｂは天井部２ａの外側縁部分から下方に連続する外周面，
２ｃは外周面２ｂに設けられて、内向噛合部１ｆとスプライン係合する外向噛合部，
２ｃ’は外周面２ｂに設けられて、リブ状部１ｆと係合し、操作ボタン１とブッシュ２との間の回動を防止する溝状部，
２ｄは後述のピストン６の内容物流出側と後述の鞘状部材５の内部空間との間に設定された内容物通過用の中央通路部，
２ｅは中央通路部２ｄの出口側外面に形成されて、後述の鍔状部３ｂの前面縁部との間で倣い作用を呈する環状斜面，
２ｅ’は後述の逆止弁３の中央細身部を挟む態様で中央通路部２ｄの出口側外面に形成されて、後述の鍔状部３ｂの前面縁部との間で倣い作用を呈する一対の斜面，
２ｆは環状垂下部１ｅの内周面に当接してシール作用を呈する逆スカート状部，
２ｇは天井部２ａに設けられた上下方向の（空間域）連通孔，
２ｈは環状斜面２ｅに囲まれるブッシュ中央部分に形成された内容物流出用の上下方向孔部，
３は操作ボタン１の上側収容部１ｂに配置されて静止モードにおいては前方端部が後述の放出口４ａを閉塞する逆止弁，
３ａは当該逆止弁の前端側部分であって放出口４ａの開閉作用を呈する弁作用部，
３ｂは弁作用部３ａの後端部分に設けられて、前面縁部がブッシュ２の環状斜面２ｅとの倣い作用を呈し、後面部が後述のコイルスプリング６を保持する鍔状部，
４は上側収容部１ｂの前側内周面と嵌合する筒状のノズル，
４ａは容器内容物の放出口，
４ｂはノズル外周面に設けられた環状凸部，
５は図示右の方から左に向かって小径部分，中径部分および大径部分が順に形成され、その内部空間に逆止弁３を収容し、ノズル４と一体化されて、開口部５ａから放出口４ａにいたる内容物通過用の下流側通路を構成する鞘状部材，
５ａはブッシュ２の中央上端側部分（環状斜面２ｅ，上下方向孔部２ｈなど）の上下動を可能とするための開口部，
５ｂは下側切欠部１ｊの真上に設定された上下方向連通用の上側切欠部，
５ｃは当該鞘状部材の内周面前側部分に形成されてノズル４の外周面環状凸部と嵌合する環状凹部，
５ｄは操作ボタン１の前後方向凸状部１ｈと係合して当該鞘状部材の回動を防止するための溝状部，
５ｅは当該鞘状部材の外周面前側部分に形成されて操作ボタン１の内面環状凸部と嵌合する環状凹部，
６は逆止弁３を前方に付勢するコイルスプリング，
７はブッシュ２の筒状部下側内周面に強く嵌合して上方向に弾性的に付勢される（図示省略）形で設けられ、操作ボタン１の下方への押圧によって周知のポンプ機構またはバルブ機構が作動して容器内容物を中央通路部２ｄに流出させるピストン，
８は容器本体（図示省略）の開口部に取り付けられたキャップ，
９はキャップ８に取り付けられてピストン７の移動空間域および容器内容物の貯留・通路域として作用するハウジング，
Ａは下側収容部１ｃの内面形状やブッシュ２の外面形状などの軸対称性の上下方向中心軸（ブッシュ２およびピストン７などの移動方向中心軸），
をそれぞれ示している。
【００３０】
ここで、操作ボタン１，ブッシュ２，逆止弁３，ノズル４，鞘状部材５，ピストン７，キャップ８およびハウジング９などはポリプロピレン，ポリエチレン，ポリアセタール，ナイロン，ポリブチレンテレフタレートなどからなるプラスチック製のものであり、コイルスプリング６は金属製，プラスチック製のものである。
【００３１】
図１〜図３のシャットオフ機構の基本的特徴は、
(21)もともと操作ボタン１の一部であって逆止弁３の前後方向への移動を案内する部分を、操作ボタンとは別部材の鞘状部材５の形で設定し、
(22)この鞘状部材に、逆止弁３，ノズル４およびコイルスプリング６の三要素を組み込んでシャットオフ作動用ユニットを作成した、
ことである。
【００３２】
このシャットオフ作動用ユニットは上記三要素をいわば内在させた状態の鞘状部材５からなる。このユニット単位で保管でき、また操作ボタン１に取り付けられる。
【００３３】
シャットオフ作動用ユニットの組立作業は例えば、
(31)先ず、逆止弁３の鍔状部３ｂの後方周面部にコイルスプリング６の一端側を入れて逆止弁とコイルスプリングとを一体化し、
(32)次に、この一体化した逆止弁およびコイルスプリングを鞘状部材５の内部にその前端側開口部から入れ、
(33)次に、ノズル４を逆止弁３の前側周面部に合わせる形で鞘状部材５の内部に同じく前端側開口部から入れて、当該ノズルの環状凸部４ｂを鞘状部材５の内周面の環状凹部５ｃに嵌合させる、
といった手順なる。
【００３４】
この組立後のシャットオフ作動用ユニットの放出口４ａは逆止弁３の弁作用部３ａで閉状態に設定されている。
【００３５】
そして図１および図２のシャットオフ機構の付加的特徴は、
・操作ボタン１の下側収容部１ｃ，中央開口部１ｄ，環状垂下部１ｅ，内向噛合部１ｆ
・ブッシュ２の外向噛合部２ｃ，当該噛合部に続く外周面部分，環状斜面２ｅ，逆スカート部２ｆ，
などの各形状が、
上下方向中心軸Ａに対して、ブッシュ２をその任意の回動位置で操作ボタン１に図示の下方側から入れて組み込むことにより双方を一体化できるような略軸対象形状になっている、ことである。
【００３６】
すなわち、（内向噛合部１ｆの部分を除く）下側収容部１ｃ，中央開口部１ｄ，環状垂下部１ｅ，外向噛合部２ｃに続くブッシュ外周面部分，環状斜面２ｅ，逆スカート部２ｆなどの図示横方向（＝上下方向中心軸Ａと直交する方向）の任意の断面の輪郭線はそれぞれ「円」となる。
【００３７】
また、内向噛合部１ｆおよび外向噛合部２ｃについての同横方向の任意の断面の輪郭線もそれぞれ略「円」といえる。当該断面の各噛合部の谷（底）部分または山（頂）部分はそれぞれ「円」上に位置している。
【００３８】
ここで、図１〜図３のシャットオフ機構の動作は概略、次のようになる。
(41)利用者が、静止モードの操作ボタン１の操作面１ａを押し下げる。
(42)操作ボタン１の下動にともなって、逆止弁３の鍔状部３ｂとブッシュ２の環状斜面２ｅ，斜面２ｅ’との倣い作用により逆止弁３がコイルスプリング６の弾性力に抗しながら鞘状部材５の内周面などに案内されるかたちで後退する。
このときブッシュ２は下動しない。それはピストン７を上方向に付勢する周知の弾性力がコイルスプリングのそれよりも十分に大きいからである。
(43)その後、操作ボタン１の環状下垂部１ｅがブッシュ２の環状天井部２ａの上面部分に当接すると操作ボタン１，ブッシュ２およびピストン７は一体となって下動する。
(44)ピストン７の下動によりその弁作用部が開いて、容器本体の内容物が「ピストン７の中央通路−中央通路部２ｄ−鞘状部材５の内部空間−ノズル４の内部空間−放出口４ａ」を経て外部空間に放出される。
【００３９】
利用者が操作ボタン１の押圧操作をやめると、シャットオフ機構は次のような（作動モード設定時とは逆の）動作を呈する。
(51)先ず、操作ボタン１およびブッシュ２がピストン７とともに当該ピストンに対する周知の強い弾性復帰力によって静止モード位置まで上動する。この上動により、ピストン側の弁作用部が閉じて容器本体側から中央通路部２ｄへの内容物流入動作が終了する。
(52)続いて、逆止弁３が、コイルスプリング６の復帰力によって前方向に復帰して放出口４ａを閉状態に設定する。なお、この弁部材復帰の際、操作ボタン１は、逆止弁３の鍔状部３ｂとブッシュ２の環状斜面２ｅ，斜面２ｅ’との倣い作用により上動して静止モードの初期位置に復帰する。
【００４０】
図１〜図３のシャットオフ機構の組み立て作業は、
(61)操作ボタン１の上側収容部１ｂの前方開口部から、逆止弁３，ノズル４，鞘状部材５およびコイルスプリング６で構成されるシャットオフ作動用ユニットを挿入して、鞘状部材外周面の環状凸部５ｅを上側収容部内周面の環状凹部１ｋに嵌合させ、
(62)ブッシュ２を操作ボタン１の下方から下側収納部１ｃに挿入して取り付ける、
といった手順になる。
【００４１】
図１〜図３のシャットオフ機構は、上述したように、逆止弁３，ノズル４およびコイルスプリング６の各シャットオフ作動用要素を鞘状部材５に組み込んだ形のユニット構造を用いている。
【００４２】
すなわち、逆止弁３の前後方向へ移動する逆止弁３は、操作ボタン１とは別の鞘状部材５の内周面に案内される。
【００４３】
これにより操作ボタン１および鞘状部材５の材質や製造法などをそれぞれの機能に適する形で個々に設定できる。例えば操作ボタン１については外観装飾を重視した設定とし、鞘状部材５については逆止弁３の案内機能を重視した設定にすることができる。
【００４４】
また、シャットオフ機構を組み立てるまでの保管はシャットオフ作動用ユニットの単位となる。逆止弁３，ノズル４およびコイルスプリング６を個々に保管する必要はない。
【００４５】
また、シャットオフ機構の組立作業の際にもこのシャットオフ作動用ユニットを操作ボタン１に挿入すればよい。
【００４６】
これに加えて図１および図２のシャットオフ機構は、上述したように、
・下側収容部１ｃ，中央開口部１ｄ，環状垂下部１ｅ，内向噛合部１ｆ
・外向噛合部２ｃ，当該噛合部に続く外周面部分，環状斜面２ｅ，逆スカート部２ｆ，
などの各構成要素を、図示横方向断面の輪郭線が円状で、上下方向中心軸Ａに対して略軸対象となる形状に設定している。
【００４７】
そのため、操作ボタン１とブッシュ２とを組み立てる際、双方の回動位置関係などは一切確認せずに、ブッシュ２をその環状斜面２ｅ側から操作ボタン１の下側収容部１ｃに挿入するだけでよい。
【００４８】
なお、この確認不要の利点は、操作ボタンの内向噛合部１ｆとブッシュの外向噛合部２ｃとの間にも確実に妥当する。
【００４９】
それは、内向噛合部１ｆの歯の下端および外向噛合部２ｃの歯の上端はそれぞれ、操作ボタン１とブッシュ２との回動方向に対して山形になっているため、操作ボタン１にブッシュ２を挿入するときに内向噛合部１ｆおよび外向噛合部２ｃの各歯の凹凸自体が合致していなくても、各歯の山形端部同士の倣い作用によってそれぞれの凹凸が一致するように、操作ボタン１とブッシュ２とが相対的に回動するからである。
【００５０】
操作ボタン１の外径１９ｍｍの場合、スプライン係合する内向噛合部１ｆおよび外向噛合部２ｃの歯数は例えば６０である。
【００５１】
組立て後のシャットオフ機構は、各種のポンプ容器またはエアゾール容器に取り付けて使用される。
【００５２】
本発明が以上の実施形態に限定されないことは勿論であり、例えば特開２００８−０５５３３３号公報のように、スプライン係合の代わりにブッシュ２に上下方向変位可能な円形ダイアフラム部を設けその外周を操作ボタン１の下側収容部１ｃの内周面に液密に係合させてもよい。
【００５３】
また、内向噛合部１ｆまたは外向噛合部２ｃの一方の歯数を減らしても良い。
【００５４】
また、ブッシュ２（および操作ボタン１，ピストン７）とキャップ８との間の回動を阻止するため、キャップ内側筒状部の内周面およびブッシュ筒状部の外周面に内向噛合部１ｆ，外向噛合部２ｃと同様のスプライン係合部を形成してもよい。
これにより、ブッシュ２などとキャップ８との組立て時における双方の回動位置関係の確認作業も不要となる。
【００５５】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５６】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼイン，ヒドロキシエチルセルロース，キサンタンガム，カルボキシビニルポリマーなどを用いる。
【００６２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６３】
さらに、上記内容物以外の、懸濁剤，紫外線吸収剤，乳化剤，保湿剤，酸化防止剤、金属イオン封鎖剤なども用いることができる。
【００６４】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６５】
１：操作ボタン
１ａ：操作面
１ｂ：上側収容部
１ｃ：下側収容部
１ｄ：中央開口部
１ｅ：環状垂下部
１ｆ：内向噛合部
１ｆ’：リブ状部
１ｇ：突起部
１ｈ：前後方向凸状部
１ｊ：下側切欠部
１ｋ：環状凹部
２：ブッシュ
２ａ：天井部
２ｂ：外周面
２ｃ：外向噛合部
２ｃ’：溝状部
２ｄ：中央通路部
２ｅ：環状斜面
２ｅ’：一対の斜面
２ｆ：逆スカート状部
２ｇ：（空間域）連通孔
２ｈ：上下方向孔部
３：弁部材
３ａ：弁作用部
３ｂ：鍔状部
３ｃ：カム作用部
４：ノズル
４ａ：放出口
４ｂ：環状凸部
５：鞘状部材
５ａ：開口部
５ｂ：上側切欠部
５ｃ：環状凹部
５ｄ：溝状部
５ｅ：環状凹部
６：コイルスプリング
７：ピストン
８：キャップ
９：ハウジング
Ａ：軸対称の上下方向中心軸
【図１】
2010179945.tif 000003
【図２】
2010179945.tif 000004
【図３】
2010179945.tif 000005